(57)【要約】【課題】簡単な構成で全体の防水性を確保した防水型デジタルカメラを提供する。【解決手段】開口34を備えたフロントカバー15と開口34を覆ってフロントカバー15に取り付けたウィンドウ16との接触部分を、略全周に亘ってメタルベルト19が密着固定する。別途防水ケースなどを用いることなく、簡単な構造でハウジングの全体の防水性を確保できる。【選択図】図１
2010197510.tif 000002
【特許請求の範囲】
【請求項１】
開口を備えた第１カバーと、
この第１カバーの開口を閉塞して取り付けられる第２カバーと、
前記第１カバーと前記第２カバーとの接触部分を略全周に亘って密着固定する連結部材と
を具備したことを特徴とする防水型電子機器。
【請求項２】
第１カバーの開口と第２カバーとの間に介在されこれら開口と第２カバーとの隙間をシールするシール材
を具備したことを特徴とする請求項１記載の防水型電子機器。
【発明の詳細な説明】
【技術分野】
【０００１】
本発明は、第１カバーの開口を閉塞して取り付けられる第２カバーを備えた防水型電子機器に関する。
【背景技術】
【０００２】
従来、例えば防水型デジタルカメラなどの防水型電子機器としては、特に防水構造を有さない一般的な電子機器全体を、防水ケースによって密閉する構成が知られている(例えば、特許文献１参照。)。
【０００３】
しかしながら、このような構成では、電子機器全体の防水性は確保できるものの、使用者が防水ケースを別途携帯しなければならず、かつ、防水ケースの装着作業が煩雑であるだけでなく、防水ケースを取り付けた状態での電子機器としての操作性がそれぞれ良好でなく、操作性を向上するために防水ケースの構成が複雑化するという問題がある。
【０００４】
この点、メモリカードなどを挿入するカードスロットなどの接続端子及び電池室などを開閉する開閉蓋などの浸水性が高い部分に、蓋体と筐体との間で挟持される防水材を配置して防水性を向上した構成が知られている(例えば、特許文献２参照。)。
【０００５】
しかしながら、このような構成では、電子機器に対して部分的な防水構造を設けているに過ぎず、電子機器全体での防水性が良好でないという問題がある。
【先行技術文献】
【特許文献】
【０００６】
【特許文献１】特開２００６−１６２７８９号公報  (第４−６頁、図２及び図３)
【特許文献２】特開２００４−１５７２４０号公報  (第４−７頁、図３)
【発明の概要】
【発明が解決しようとする課題】
【０００７】
上述したように、簡単な構成で全体の防水性を確保できる防水型電子機器が望まれている。
【０００８】
本発明は、このような点に鑑みなされたもので、簡単な構成で全体の防水性を確保した防水型電子機器を提供することを目的とする。
【課題を解決するための手段】
【０００９】
請求項１記載の防水型電子機器は、開口を備えた第１カバーと、この第１カバーの開口を閉塞して取り付けられる第２カバーと、前記第１カバーと前記第２カバーとの接触部分を略全周に亘って密着固定する連結部材とを具備したものである。
【００１０】
そして、第１カバーと第２カバーとの接触部分を略全周に亘って連結部材が密着固定する。
【００１１】
請求項２記載の防水型電子機器は、請求項１記載の防水型電子機器において、第１カバーの開口と第２カバーとの間に介在されこれら開口と第２カバーとの隙間をシールするシール材を具備したものである。
【００１２】
そして、第１カバーの開口と第２カバーとの隙間をシール材によりシールする。
【発明の効果】
【００１３】
本発明によれば、簡単な構成で全体の防水性を確保できる。
【図面の簡単な説明】
【００１４】
【図１】本発明の一実施の形態の防水型電子機器の後部の組み立て方法を(a)ないし(d)の順に示す斜視図である。
【図２】同上防水型電子機器の側部の組み立て方法を(a)ないし(f)の順に示す斜視図である。
【図３】同上防水型電子機器の側部の組み立て方法を(a1)(a2)ないし(c1)(c2)の順に示す側面図である。
【図４】同上防水型電子機器のストラップアンカを示す平面図である。
【図５】同上防水型電子機器のストッパリングを示す平面図である。
【図６】同上防水型電子機器を示す図１１のＩ−Ｉ断面図である。
【図７】同上防水型電子機器を示す図１１のII−II断面図である。
【図８】同上防水型電子機器を示す図１１のIII−III断面図である。
【図９】同上防水型電子機器を示す図１１のIV−IV断面図である。
【図１０】同上防水型電子機器を前方から示す斜視図である。
【図１１】同上防水型電子機器を後方から示す斜視図である。
【発明を実施するための形態】
【００１５】
以下、本発明の一実施の形態の構成を図１ないし図１１を参照して説明する。
【００１６】
図１０及び図１１において、10は防水型電子機器としての防水型デジタルカメラであり、図１０は防水型デジタルカメラ10の前面側(被写体側)を示し、図１１は防水型デジタルカメラ10の後面側(反被写体側)を示す。そして、この防水型デジタルカメラ10は、筐体であるハウジング11と、このハウジング11に取り付けられたレンズ装置12とを備えている。
【００１７】
なお、以下、各図において、矢印Ｆ方向が撮像光軸に沿う被写体側である前方向であり、矢印Ｂ方向が撮像光軸に沿う反被写体側である後方向であり、矢印Ｕ方向及び矢印Ｄ方向が撮像光軸に対して直交する平面内のＹ軸方向(上下方向)であり、矢印Ｌ方向及び矢印Ｒ方向が撮像光軸に対して直交する平面内のＸ軸方向(左右方向)である。
【００１８】
ハウジング11は、図１、図２、図７ないし図９に示すように、前側に位置する第１カバーとしてのフロントカバー15、後側に位置する第２カバーとしてのリアカバーであるウィンドウ16、これらフロントカバー15とウィンドウ16との間に位置するシール材としてのＯリング17、ウィンドウ16を保護する保護部材としてのパッド18、フロントカバー15とウィンドウ16とを互いに固定する連結部材としての固定手段であるメタルベルト19、及び、メタルベルト19とウィンドウ16との間に位置する保護部材としてのシート20を有している。そして、このハウジング11には、レンズ装置12を介して画像を撮像する図示しない撮像素子などを有する画像処理用の処理手段としての図示しない処理回路部、及び、外部からの入力操作されるスイッチ26を備えた回路基板27などが収容されているとともに、ウィンドウ16に貼り付けられた表示素子であるＬＣＤ(Liquid Crystal Display)パネル28、及び、入出力端子である接続端子29などが外部に臨むように配置されている。
【００１９】
フロントカバー15は、例えば合成樹脂などの部材により四角形箱状に形成されている。すなわち、このフロントカバー15は、前部を構成する四角形状のカバー本体部32と、このカバー本体部32の周囲全体に亘って前後方向に沿って(撮像光軸に平行に)形成された外枠部33とを備え、この外枠部33の後部に、ウィンドウ16が嵌合される四角形状の開口34及びこの開口34の周囲に連続する段部35が形成されている。
【００２０】
カバー本体部32の略中央部には、レンズ装置12の前側が露出する丸孔状の窓部37が開口形成されている。
【００２１】
外枠部33は、カバー本体部32の上下部にそれぞれ形成される側壁部41，42と、カバー本体部32の左右部にそれぞれ形成される側壁部43，44とを備えている。また、この外枠部33には、メタルベルト19を係止するための溝部45がウィンドウ16の表側面から所定距離だけ離間された位置にウィンドウ16面と略平行に、かつ、略全周に亘って連続的に形成されている。さらに、この外枠部33は、溝部45よりもウィンドウ16側の面が、メタルベルト19を嵌着する嵌着部46となっている。
【００２２】
上側の側壁部41には、図１０に示すように、右側の側壁部44寄りの位置に、シャッタ操作用のシャッタボタン47が取り付けられる横長四角形状の孔部48がハウジング11の内部に連通して開口形成されている。この孔部48とシャッタボタン47との隙間には、図示しないが、例えばＯリングなどの防水部材が配置されている。
【００２３】
右側の側壁部44には、図１０及び図１１に示すように、上下方向の略中心位置で、かつ、前側寄りの位置に、接続端子29(図９)が取り付けられる接続端子取付部51が左右方向に沿って形成されている。
【００２４】
接続端子取付部51は、図９ないし図１１などに示すように、右側の側壁部44から右方へと突出した略円筒状の壁部である突状部53と、この突状部53の内方で右側の側壁部44に凹設された取付空間部54と、この取付空間部54に形成されハウジング11の内部と連通する接続端子取付開口55とを備えている。
【００２５】
突状部53は、一部がカバー本体部32の右側の位置まで連続している。また、この突状部53の外周側には、ストラップアンカ57及びこのストラップアンカ57の抜け止め用のストッパリング58が取り付けられている。さらに、この突状部53の先端側には、シール部材であるＯリング61が嵌着される嵌着切欠部62が外周側全体に連続して環状に形成されている。また、この突状部53の外周側には、ストッパリング58を固定するための複数の固定溝部63が嵌着切欠部62に連続して軸方向に沿って形成されている。そして、この突状部53の先端には、蓋体であるねじ止め式のキャップ64が着脱可能に取り付けられている。
【００２６】
ストラップアンカ57は、図２、図１０及び図１１に示すように、防水型デジタルカメラ10を吊り下げ保持するための図示しないストラップを取り付ける部材であり、例えば板状の金属などにより形成され、突状部53の外周に固定される略円環状のアンカ本体部65と、このアンカ本体部65からそれぞれ互いに反対方向へと径方向に突出したストラップ取付部66，66とを有している。また、このストラップアンカ57は、突状部53の外周側に取り付けられて固定された状態で、メタルベルト19の一部を押さえてこのメタルベルト19をフロントカバー15に対して保持固定する。
【００２７】
アンカ本体部65は、突状部53の外径寸法よりも若干大きい内径寸法を有している。また、このアンカ本体部65の内側部には、図４に示すように、突状部53の複数の固定溝部63に対してそれぞれ遊嵌可能な複数(例えば３つ)の突状片65aが形成されている。これら突状片65aは、図３(a1)及び図３(a2)に示すように、アンカ本体部65の固定溝部63にそれぞれ位置合わせされることにより突状部53に挿嵌可能となっている。そして、ストラップアンカ57全体を所定方向に回動させることにより、図３(b1)及び図３(b2)に示すように、突状部53の下部に形成された凹部53aに対して突状片65aの一部が嵌入されるように構成されている。
【００２８】
各ストラップ取付部66は、アンカ本体部65に対して上下方向へと突出している。また、各ストラップ取付部66の先端側は、右側の側壁部44からそれぞれ離間されるように屈曲しており、この先端側に、ストラップが取り付けられる孔部69がそれぞれ形成されている。
【００２９】
ストッパリング58は、例えば金属などにより形成され、ストラップアンカ57のアンカ本体部65の外径寸法と略等しい外径寸法を有している。また、このストッパリング58の内周側には、各固定溝部63に挿入固定されて隙間を埋めストラップアンカ57の回転を阻止するための爪部71がそれぞれ形成されている。
【００３０】
Ｏリング61は、可撓性を有する合成樹脂などの部材により環状に形成されており、キャップ64を突状部53の先端側に取り付けた状態で嵌着切欠部62との間で若干潰れるように挟持される。
【００３１】
キャップ64は、図９ないし図１１に示すように、Ｏリング61を介して取付空間部54を液密に閉塞して接続端子29を防水保護するためのもので、突状部53内の図示しないねじ溝にねじ込まれて嵌着される蓋体本体である略円筒状のキャップ本体73と、このキャップ本体73の一端部に一体に鍔状(フランジ状)に形成され突状部53の先端側(取付空間部54)を閉塞する閉塞部74とを備えている。
【００３２】
閉塞部74には、長手状の窪み部76が径方向に沿って略中心位置に凹設されている。また、この閉塞部74の外周部全体には、キャップ本体73側へと突出する突出部78が一体に形成されている。
【００３３】
窪み部76は、例えばコインなどを挿入してキャップ64を接続端子取付部51に対して周方向に回動させて着脱するためのものである。
【００３４】
突出部78は、キャップ64を接続端子取付部51に取り付けた状態で、内周面と嵌着切欠部62との間でＯリング61を挟持するためのものである。
【００３５】
また、溝部45は、図１、図２、図１０及び図１１に示すように、側壁部43に形成された溝部45aと、側壁部41，42に形成され溝部45aの上下にそれぞれ連続する溝部45b，45cと、側壁部44に形成され溝部45b，45cにそれぞれ連続する溝部45d，45eとを備えている。これら溝部45a〜45eは、ウィンドウ16の表側面から所定距離だけ離間された位置にウィンドウ16面と略平行に形成されている。
【００３６】
嵌着部46は、メタルベルト19を取り付けた状態で、このメタルベルト19の外側面とフロントカバー15の外枠部33の外側面とが略同一平面となるように、この外枠部33に対してメタルベルト19の厚み分、窪んで形成されている。
【００３７】
また、ウィンドウ16は、透光性を有する合成樹脂などの部材によりフロントカバー15の開口34に嵌め込み可能に成形されており、ハウジング11の後部全体を形成している。そして、このウィンドウ16は、内面側に貼り付けられたＬＣＤパネル28に表示された画像を後部から視認できるように構成されている。また、このウィンドウ16には、図６ないし図８に示すように、パッド18が取り付けられる凹部81が形成されている。
【００３８】
凹部81には、スイッチ26に対応する位置に、ハウジング11の内部と連通する開口部83がそれぞれ形成されている。また、この凹部81の前端側の両側には、前側へと拡開するように傾斜したテーパ状の切欠部84が形成されている。
【００３９】
Ｏリング17は、フロントカバー15とウィンドウ16との隙間を閉塞するものであり、可撓性を有する合成樹脂により、段部35に嵌着される四角形枠状に形成されている。
【００４０】
パッド18は、可撓性を有する樹脂である合成樹脂が、ウィンドウ16の開口部83を覆って凹部81全体に２色成形(多色成形)などにより予め射出成形されることで四角形枠状に形成されている。したがって、このパッド18には、凹部81の切欠部84に嵌合してパッド18の強度を補強する鍔部87が射出成形時に一体に形成され、この鍔部87が切欠部84に嵌合することにより、パッド18が開口部83の防水状態をより確実に維持している。また、このパッド18は、ウィンドウ16よりも後方へと突出しており、ウィンドウ16を下に向けた状態で防水型デジタルカメラ10を平面上に載置した場合、この平面に接触することにより、ウィンドウ16がこの平面に接触しないように保護している。さらに、このパッド18には、各開口部83に対応する位置、例えば上下左右のそれぞれの略中心位置に、それぞれスイッチ26のキートップとなる複数の操作部88が一体に形成されている。
【００４１】
各操作部88は、凹部81の底部に対向する側に、嵌合凹部91がそれぞれ形成されており、この嵌合凹部91により、各操作部88の柔軟性が保たれている。また、各嵌合凹部91には、スイッチ26を押圧操作するための連結手段としての操作体である長尺状の連結棒92の一端側が取り付けられている。
【００４２】
各連結棒92は、各開口部83に挿通されて他端側がスイッチ26の被操作部であるボタン部94に対向して接触しており、操作部88を押圧することによりスイッチ26のボタン部94を押圧して、スイッチ26を操作することが可能となっている。また、各連結棒92は、ハウジング11内に収容された保持部材95により、押圧方向へと摺動可能に保持されている。
【００４３】
メタルベルト19は、例えばアルミニウムなどの金属によりプレス形成されている。このメタルベルト19は、図６及び図８に示すように、シート20を介してウィンドウ16の端縁部を押さえ込む押さえ部である押さえ板部19aと、この押さえ板部19aの外縁部側に屈曲状に連続し嵌着部46に嵌着される被嵌着部である嵌着板部19bと、この嵌着板部19bの端部に屈曲状に連続し溝部45に係合される係合部である係合片部19cとを備え、断面視で略Ｌ字状に形成されている。
【００４４】
さらに、メタルベルト19は、図１、図２、図１０及び図１１に示すように、ハウジング11の側壁部43の位置に嵌められる側板部19dと、この側板部19dの上下にそれぞれ連続するとともにそれぞれ側壁部41，42の位置に嵌められる側板部19e，19fと、側壁部44の位置に嵌められる側板部19g，19hとを備えている。なお、上記押さえ板部19a、嵌着板部19b及び係合片部19cは、それぞれこれら側板部19d，19g，19h及び側板部19e，19fに連続して形成されている。
【００４５】
これらの側板部19d〜19hは、係合片部19cが溝部45a〜45eに係合され、嵌着板部19bが左側の嵌着部46に嵌着され、かつ、押さえ板部19aがシート20を介してウィンドウ16の端縁部を押さえている。このとき、突状部53側の側板部19g，19hの各先端部は、互いに略隙間なく対向している。さらに、これら側板部19g，19hの各先端側の位置には、被固定部としての被固定片部19i，19jがそれぞれ嵌着板部19bから前側へと突出して形成されている。これら被固定片部19i，19jは、突状部53の座部96(図２(a))の端部に接触するとともに、ストラップアンカ57の各ストラップ取付部66の基端部によりフロントカバー15側にそれぞれ押さえつけられている。
【００４６】
また、被固定片部19i，19jは、突状部53近傍に突出形成された突起部97，97に係止されることにより、側板部19g，19hどうしが離間されることを防止している。
【００４７】
シート20は、例えば可撓性を有する合成樹脂などの部材により四角形枠状に形成されており、図１、図６及び図８に示すように、パッド18の外方の位置に、フロントカバー15、ウィンドウ16の端縁部及びＯリング17を覆うように配置されて、これらフロントカバー15、ウィンドウ16の端縁部及びＯリング17とメタルベルト19との間に挟持されている。すなわち、このシート20は、フロントカバー15とウィンドウ16との境界部全体、換言すれば開口34とＯリング17との隙間及びＯリング17とウィンドウ16との隙間(開口34とウィンドウ16との隙間)を覆うように配置され、メタルベルト19によりフロントカバー15及びウィンドウ16に対して固定されている。
【００４８】
処理回路部は、例えばＣＣＤ(Charge Coupled Device)などの撮像素子、この撮像素子により撮像した画像を処理する処理手段本体であるＣＰＵ、及び、画像などのデータを記憶する記憶手段であるメモリなどが、それぞれ処理回路基板に実装されて構成されている。
【００４９】
スイッチ26は、処理回路部のＣＰＵなどにユーザの所定の入力操作を伝達するためのものであり、例えば防水型デジタルカメラ10の各種モードの切り替え、処理回路部のメモリに記憶した画像の読み出し、あるいは動作の設定操作などが操作部88を介して入力可能となっている。そして、これらスイッチ26、パッド18の操作部88、ハウジング11、開口部83及び凹部81などにより、防水型スイッチ装置98が構成されている。
【００５０】
回路基板27には、図６及び図７に示すように、その面上にスイッチ26が実装されており、これらスイッチ26は、開口部83に向けた状態で固定されている。
【００５１】
ＬＣＤパネル28は、処理回路部などに電気的に接続されており、レンズ装置12を介して撮像素子により撮像され処理回路部のＣＰＵにより処理されたリアルタイム画像、あるいは処理回路部のメモリに記憶された画像などが表示されるものである。
【００５２】
接続端子29は、図９に示すように、例えばＵＳＢ(Universal Serial Bus)コネクタ、あるいはメモリカード用のスロットなどであり、処理回路部に電気的に接続され、接続端子取付開口55に取り付けられて取付空間部54内に露出している。そして、この接続端子29は、処理回路部のメモリと外部機器あるいはメモリカードとの間で、画像などのデータを入出力可能となっている。
【００５３】
一方、レンズ装置12は、例えば複数のレンズ及びシャッタ(絞り)を撮像光軸に沿って移動可能なズームレンズ鏡筒であり、図１０に示すように、フロントカバー15の窓部37に取り付けられている。
【００５４】
次に、上記一実施の形態の組み立て方法を説明する。
【００５５】
まず、フロントカバー15に、レンズ装置12を取り付けるとともに、処理回路部、スイッチ26を実装した回路基板27、ＬＣＤパネル28及び接続端子29などをそれぞれ所定位置に組み付ける。
【００５６】
次いで、図１(a)に示すように、フロントカバー15の後側、すなわちＬＣＤパネル28側を上に向けた状態で、図１(b)に示すように、上側からＯリング17を介して、パッド18を形成済みのウィンドウ16を開口34に取り付ける。
【００５７】
さらに、図１(c)に示すように、シート20をウィンドウ16の端縁部に載置した状態で、メタルベルト19を取り付ける。
【００５８】
具体的に、メタルベルト19は、まず、図１中の左側の側板部19dを、フロントカバー15の左側の側壁部43に固定し、左側の側板部19dに対してそれぞれ互いに上下方向へと拡開状となっている側板部19e，19fを、図１(d)に示すように、互いに接近させるようにそれぞれフロントカバー15の側壁部41，42に固定するとともに、右側の側板部19g，19hをそれぞれフロントカバー15の右側の側壁部44に固定する。
【００５９】
このとき、各側板部19d，19g，19hの係合片部19cがフロントカバー15の溝部45a，45d，45eにそれぞれ係合し、各側板部19d，19g，19hの嵌着板部19bがフロントカバー15の側壁部43，44にて嵌着部46に嵌着するとともに、各側板部19e，19fの係合片部19cがフロントカバー15の溝部45b，45cにそれぞれ係合し、各側板部19e，19fの嵌着板部19bがフロントカバー15の側壁部41，42にて嵌着部46に嵌着する。また、各側板部19d，19g，19h及び各側板部19e，19fのそれぞれの押さえ板部19aが、シート20をウィンドウ16の端縁部へと押さえつける。さらに、各側板部19g，19hの先端部が、図２(a)に示すように、互いに対向して略隙間なく合わせられる。
【００６０】
また、図２(b)、図３(a1)及び図３(a2)に示すように、ストラップアンカ57をその各突状片65aが突状部53の固定溝部63に嵌合するように挿入し、図２(c)、図３(b1)及び図３(b2)に示すように、ストラップアンカ57を図中の時計回り方向へと回動させることにより、突状片65aが突状部53の凹部53aに嵌合してストラップアンカ57が回り止めされる。このとき、アンカ本体部65による締め付け力によって、メタルベルト19の被固定片部19i，19jがフロントカバー15へと押さえつけられ、メタルベルト19の側板部19g，19hが完全に固定される。この状態で、シート20がメタルベルト19の押さえ板部19aにより覆われ、フロントカバー15、Ｏリング17及びウィンドウ16に対してメタルベルト19により固定される。
【００６１】
そして、図２(d)、図３(c1)及び図３(c2)に示すように、突状部53の先端側に対して、ストッパリング58の各爪部71を各固定溝部63に挿入して嵌め込んだ後、図２(e)に示すように、Ｏリング61を嵌着切欠部62に嵌着し、最後に図２(f)に示すようにキャップ64を突状部53内にねじ込んでキャップ本体73を取付空間部54に嵌着することにより、接続端子29を防水状態で保護する防水型デジタルカメラ10が完成する。
【００６２】
各スイッチ26の操作の際には、作業者が各操作部88を押圧することにより、これら操作部88が可撓変形し、この操作部88の前側の嵌合凹部91に一端部が嵌合された連結棒92が押し込まれ、この連結棒92の他端部が各スイッチ26のボタン部94を押すことにより、各スイッチ26が操作される。
【００６３】
このとき、操作部88は、その可撓性により操作が行いやすいとともに、開口部83を確実にシールする。
【００６４】
上述したように、上記一実施の形態によれば、メタルベルト19によりフロントカバー15とウィンドウ16との接触部分を略全周に亘って密着固定することにより、別途防水ケースなどを用いることなく、簡単な構造でハウジング11の全体の防水性を確保できる。
【００６５】
また、フロントカバー15の開口34とウィンドウ16との隙間にＯリング17を設けることにより、ハウジング11の全体の防水性を確保できる。
【００６６】
さらに、シート20を介してメタルベルト19でウィンドウ16側を固定することにより、傷の防止、クッション性及び防水性の確保が可能になる。
【００６７】
また、接続端子取付部51は、キャップ64により開閉可能であるものの、このキャップ64と突状部53の嵌着切欠部62との間でＯリング61を挟持していることにより、キャップ64を突状部53に取り付けた状態では、接続端子29を防水状態で保護できる。
【００６８】
そして、スイッチ26に対応する位置でハウジング11のウィンドウ16に形成した開口部83を覆うように、可撓性を有する合成樹脂により操作部88を有するパッド18を射出成形することにより、一度の工程で各スイッチ26のキートップとなる各操作部88を形成できるので、精密な組み立てや多くの作業工数を要することなく、すなわち製造性を低下させることなく、操作部88が開口部83を確実に閉塞して防水性を確保した防水型スイッチ装置98を得ることができるとともに、ハウジング11の表面にスイッチ26を配置する必要がないため、スイッチ26の配置に自由度があり、デザインの自由度を向上できる。
【００６９】
また、開口部83と、この開口部83に連続してハウジング11の表面側に形成した凹部81とに亘って操作部88を有するパッド18を射出成形することにより、操作部88が凹部81に密着して開口部83をより確実に閉塞し、防水性をより向上できる。
【００７０】
すなわち、凹部81は、開口部83よりも幅広に形成されているため、操作部88を構成する合成樹脂が凹部81に亘って充填されることにより、開口部83をより広い面積で閉塞することが可能になり、開口部83をより確実に閉塞できる。
【００７１】
この結果、防水型デジタルカメラ10の浸水性が高い各部において、充分な防水性を得ることができる。
【００７２】
なお、上記一実施の形態において、各操作部88は、連結棒92によって各スイッチ26のボタン部94と連結したが、例えば各スイッチ26を各操作部88の近傍に配置している構成では、パッド18そのものでボタン部94を操作するように構成してもよい。
【００７３】
また、防水型デジタルカメラ10の細部は、上記構成に限定されるものではない。
【００７４】
さらに、防水型電子機器は、防水型デジタルカメラ10に限定されず、防水状態での使用を求められる任意の電子機器とすることが可能である。
【００７５】
そして、上記一実施の形態では、可撓性を有する合成樹脂により操作部88を有するパッド18を、ウィンドウ16に形成された開口部83及び凹部81に直接射出成形する構成としたが、可撓性を有する部材により予め別途形成されたパッド18を開口部83及び凹部81に嵌め込む構成としてもよい。
【産業上の利用可能性】
【００７６】
本発明は、例えば、防水型デジタルカメラなどの各種防水型電子機器として適用できる。
【符号の説明】
【００７７】
10    防水型電子機器としての防水型デジタルカメラ
15    第１カバーとしてのフロントカバー
16    第２カバーとしてのウィンドウ
17    シール材としてのＯリング
19    連結部材としてのメタルベルト
34    開口
【図１】
2010197510.tif 000003
【図２】
2010197510.tif 000004
【図３】
2010197510.tif 000005
【図４】
2010197510.tif 000006
【図５】
2010197510.tif 000007
【図６】
2010197510.tif 000008
【図７】
2010197510.tif 000009
【図８】
2010197510.tif 000010
【図９】
2010197510.tif 000011
【図１０】
2010197510.tif 000012
【図１１】
2010197510.tif 000013